(57)【特許請求の範囲】
【請求項１】
フレーム材と、前記フレーム材に保持されるパネルとを備え、
前記フレーム材は、前記パネルの一方の面と対向する見付け片部を有した枠材と、前記パネルの他方の面と対向する押縁とを備え、
前記押縁は、アルミ製の押出し形材によって形成された金属製押縁体と、前記金属製押縁体の屋内側露出部分を覆って当該金属製押縁体に取り付けられた樹脂製押縁体とを備え、
前記金属製押縁体は、前記枠材に係合され、
前記金属製押縁体には、前記パネル側に向かって膨張可能な加熱発泡材が設けられる
ことを特徴とする建具。
【請求項２】
請求項１に記載の建具において、
前記枠材は、金属製であり、
前記見付け片部は、前記パネルの屋外面を支え、
前記押縁は、前記パネルの屋内面を支える
ことを特徴とする建具。
【請求項３】
請求項１または請求項２に記載の建具において、
前記金属製押縁体には、前記金属製押縁体の全長にわたって係合溝が形成され、前記係合溝には、前記加熱発泡材が係合する
ことを特徴とする建具。
【請求項４】
請求項１から請求項３のいずれか一項に記載の建具において、
前記樹脂製押縁体は、前記パネルの他方の面に当接する当接部を有して構成される
ことを特徴とする建具。
【請求項５】
請求項１から請求項４のいずれか一項に記載の建具において、
前記加熱発泡材は、その一部が前記パネルの他方の面と向かい合って配置されるとともに、当該一部から前記パネルの周縁外側に延出して設けられる
ことを特徴とする建具。
【発明の詳細な説明】
【技術分野】
【０００１】
本発明は、フレームとパネルとの間に加熱発泡材が設けられる固定窓（はめ殺し窓、ＦＩＸ窓）、上げ下げ窓、引き違い窓などの防火用の建具に関する。
【背景技術】
【０００２】
建具として、例えば、枠体内に設けられた障子が、金属框とその屋内側露出部分を覆う樹脂框とによって構成される複合型の框体にパネル体を取り付けて構成された断熱ドアが知られている（特許文献１参照）。
この断熱ドアでは、パネル体は押縁部材によって框体内に固定されている。押縁部材は、金属框に装着される断面略Ｓ字状の金属クリップと、金属クリップの屋内側に設けられた樹脂押縁とによって形成されている。これにより、例えば火災時に、樹脂框や樹脂押縁が加熱され溶融されてしまったとしても、金属クリップは燃えずに残存し、パネル体を框体内に保持しておくことができる。
【先行技術文献】
【特許文献】
【０００３】
【特許文献１】特許第３４８０９１６号公報
【発明の概要】
【発明が解決しようとする課題】
【０００４】
ところで、特許文献１に記載の断熱ドアでは、金属框の屋外片部と押縁部材とパネル体の周縁との間に加熱発泡材などが設けられていないため、例えば火災時に、金属框の屋外片部と押縁部材とパネル体の周縁との間を塞いで屋内外を遮断することが困難である。
【０００５】
また、この断熱ドアでは、框体および押縁部材とパネル体との間に加熱発泡材を設けることは何ら考慮されていないが、例えば、仮に金属框の屋外片部の屋内面に加熱発泡材を設けて当該加熱発泡材を金属框の屋外片部と押縁部材とパネル体の周縁との間に位置させることができたとしても、火災時に樹脂框や樹脂押縁が加熱されて溶融した場合には、金属クリップが設けられていない屋内部分が開放されてしまう。このように屋内部分が開放されると、加熱発泡材が加熱されて発泡し、金属框の屋外片部から屋内側に向かって膨張しても、前述した通りに開放された屋内部分を加熱発泡材によって塞ぎきることは困難であり、この開放された屋内部分に貫通孔が形成され、貫通孔から煙や炎がもれ出るおそれがある。
【０００６】
本発明の目的は、フレーム材とパネルとの隙間を加熱発泡材によって確実に塞ぐことができる建具を提供することにある。
【課題を解決するための手段】
【０００７】
本発明の建具は、フレーム材と、前記フレーム材に保持されるパネルとを備え、前記フレーム材は、前記パネルの一方の面と対向する見付け片部を有した枠材と、前記パネルの他方の面と対向する押縁とを備え、前記押縁は、アルミ製の押出し形材によって形成された金属製押縁体と、前記金属製押縁体の屋内側露出部分を覆って当該金属製押縁体に取り付けられた樹脂製押縁体とを備え、前記金属製押縁体は、前記枠材に係合され、前記金属製押縁体には、前記パネル側に向かって膨張可能な加熱発泡材が設けられることを特徴とする。
【０００８】
本発明によれば、押縁を金属製押縁体と樹脂製押縁体とを備えて構成したため、火災時等に樹脂製押縁体が軟化して脱落しても、金属製押縁体は残存し、この金属製押縁体に設けられた加熱発泡材の建具からの脱落を防止できる。また、金属製押縁体に加熱発泡材が設けられるため、加熱発泡材が火災時等に加熱されて発泡し、金属製押縁体から見付け片部側に向かって膨張することで、フレーム材とパネルとの隙間を確実に塞ぐことができる。ここで、金属製押縁体は、枠材に沿って取り付けられるため、押縁側に外部に通じる貫通孔が形成されることがなく、この貫通孔を通じて煙や炎がもれ出ることがない。このため、加熱発泡材の膨張によってフレーム材とパネルとの隙間から煙や炎がもれ出ることを防止できる。
なお、押縁は、金属製押縁体の露出部分を覆う樹脂製押縁体を備えているため、建具の断熱性を向上できる。
【０００９】
本発明の建具では、前記枠材は、金属製であり、前記見付け片部は、前記パネルの屋外面を支え、前記押縁は、前記パネルの屋内面を支えることが好ましい。
このような構成によれば、パネルの屋外面を支える見付け片部は、パネルに対して屋外側に位置し、かつパネルの屋内面を押さえる押縁は、パネルに対して屋内側に位置することとなる。このため、金属製押縁体に設けられた加熱発泡材は、火災時に発泡して屋外側に膨張し、金属製の見付け片部に当接する。この当接により、フレーム材とパネルとの隙間を確実に塞ぐことができ、この隙間から煙や炎がもれ出ることを防止できる。
【００１０】
本発明の建具では、前記金属製押縁体には、前記金属製押縁体の全長にわたって係合溝が形成され、前記係合溝には、前記加熱発泡材が係合することが好ましい。
このような構成によれば、加熱発泡材を金属製押縁体の係合溝に係合することで、例えば、加熱発泡材を金属製押縁体に単に貼り付ける場合と比べ、加熱発泡材の金属製押縁体に対する位置決めを簡単に行うことができる。
【００１１】
本発明の建具では、前記樹脂製押縁体は、前記パネルの他方の面に当接する当接部を有して構成されることが好ましい。
このような構成によれば、金属製押縁体や樹脂製押縁体に対して気密材を別途設けることなく、当接部をパネルの他方の面に当接させることでシール性を確保できるとともに、当該パネルの他方の面を押さえることができ、部品点数を減らして建具のコストダウンを図れる。
なお、パネルの屋内面を押さえていた樹脂製押縁体が脱落しても、パネルは金属製押縁体に支えられる。
【００１２】
本発明の建具では、前記加熱発泡材は、その一部が前記パネルの他方の面と向かい合って配置されるとともに、当該一部から前記パネルの周縁外側に延出して設けられることが好ましい。
このような構成によれば、例えば、火災時等に加熱発泡材が発泡した場合、パネルの他方の面と向かい合って配置された加熱発泡材の一部は、当該パネルの他方の面に向かって膨張し、当該一部から前記パネルの周縁外側に延出した他の部分がパネルの周縁見込み面部を覆うように膨張するので、パネルと金属製押縁体との間をより確実に塞ぐことができる。
【発明の効果】
【００１３】
本発明によれば、フレーム材とパネルとの隙間を加熱発泡材によって確実に塞ぐことができる建具を提供できる。
【図面の簡単な説明】
【００１４】
【図１】本発明の実施形態に係る建具の屋内側を示す正面図。
【図２】前記実施形態に係る建具を示す縦断面図。
【図３】前記実施形態に係る建具を示す横断面図。
【図４】前記実施形態に係る建具の要部を示す横断面図。
【図５】前記実施形態に係る建具が加熱された状態の要部を示す横断面図。
【発明を実施するための形態】
【００１５】
［本実施形態の構成］
以下、本発明の実施形態を図面に基づいて説明する。
図１〜３において、固定窓１（はめ殺し窓、ＦＩＸ窓）は、戸建て住宅等の建物の外壁開口部に設けられて建物の屋内空間と屋外空間とを仕切る本実施形態に係る建具であって、フレーム２と、フレーム２の内側に取り囲まれて配置されたパネル３とを備えて構成されている。
【００１６】
フレーム２は、フレーム材である上枠２１、下枠２２および左右の縦枠２３を四周枠組みして構成されている。上枠２１、下枠２２および左右の縦枠２３の屋内側には、樹脂製アングル２４〜２６がそれぞれ設けられている。樹脂製アングル２４〜２６は、塩化ビニル樹脂（ＰＶＣ）などの樹脂製材料によって形成されている。
パネル３は、防火用の網入り外ガラス３１と、網入り外ガラス３１にスペーサ３２を介して連結された一般の内ガラス３３（フロートガラス、Ｌｏｗ−Ｅガラス）とを有した複層ガラスによって構成されている。網入り外ガラス３１の屋内面の周縁部と内ガラス３３の屋外面の周縁部とには、スペーサ３２が接着されている。これにより、網入り外ガラス３１および内ガラス３３は、互いに間隔を隔てて配置されている。
【００１７】
上枠２１（上フレーム材）は、金属製枠材２１０と、押縁１０Ａとを備えて構成されている。金属製枠材２１０は、アルミ製の押出し形材によって形成されており、屋外片部２１１（見付け片部）と、見込み片部２１２と、押縁係合部２１３と、アングル係合部２１４と、枠取付部２１５とを有して構成されている。
【００１８】
屋外片部２１１は、見込み片部２１２の屋外端部から下方に延出して形成されており、パネル３と対向して配置されている。屋外片部２１１の下端には気密材２９が装着されている。
見込み片部２１２は、パネル３の上縁に対して隙間を隔てて配置されている。なお、前述した屋外片部２１１および見込み片部２１２によって断面Ｌ字状部が形成されている。
押縁係合部２１３は、パネル３よりも屋内側に位置する見込み片部２１２の部分に形成されている。押縁係合部２１３は、見込み片部２１２から下方に延出し、先端が折曲されて互いに接近した一対の係合片２１７，２１８によって構成されている。
【００１９】
アングル係合部２１４は、見込み片部２１２の屋内端部に形成されており、押縁係合部２１３よりも屋内側に位置している。アングル係合部２１４は、前述した係合片２１７，２１８のうちの屋内側に位置する係合片２１８と、見込み片部２１２の屋内端から下方に延出し、先端が屋外側に折曲された係合片２１９とによって構成されている。見込み片部２１２、係合片２１８，２１９によって形成された溝部に樹脂製アングル２４が嵌合されることによって、アングル係合部２１４に樹脂製アングル２４が係合されている。樹脂製アングル２４は、ビス２７によって建物の躯体側に取り付けられている。
枠取付部２１５は、見込み片部２１２から上方に延出して枠状に形成されており、ビス２７によって建物の躯体に取り付けられる。
【００２０】
押縁１０Ａは、金属製枠材２１０に沿って横方向に延びて取り付けられている。この押縁１０Ａは、後述する押縁１０Ｂと同様に構成されているので、押縁１０Ｂと同符号を図に付して、その詳細な説明を省略する。
【００２１】
下枠２２（下フレーム材）は、アルミ製の押出し形材によって形成されており、屋外片部２２１（見付け片部）と、見込み片部２２２と、屋内片部２２３，２２４と、アングル係合部２２５と、枠取付部２２６とを有して構成されている。
屋外片部２２１は、見込み片部２２２の屋外端部から上方に延出して形成されており、パネル３と対向して配置されている。屋外片部２２１の上端には気密材２９が装着されている。また、屋外片部２２１の屋内面の保持溝には、加熱発泡材５が保持されている。
見込み片部２２２は、パネル３の下縁に対して隙間を隔てて配置されている。なお、見込み片部２２２には、セッティングブロック２８が載置されており、セッティングブロック２８の上にパネル３が配置されている。
屋内片部２２３，２２４は、見込み片部２２２の屋内側から上方に延出して形成されている。
屋外片部２２１、見込み片部２２２および屋内片部２２３によって断面コ字状部が形成されている。屋外片部２２１と屋内片部２２３との間には、パネル３の下部が配置されている。
【００２２】
アングル係合部２２５は、屋内片部２２３，２２４の上端に形成されており、樹脂製アングル２５が係合している。樹脂製アングル２５には、パネル３の屋内面に接触する気密材２５Ａが設けられている。樹脂製アングル２５は、ビス２７によって建物の躯体側に取り付けられている。
枠取付部２２６は、見込み片部２２２から下方に延出して枠状に形成されており、ビス２７によって建物の躯体に取り付けられる。
【００２３】
図３の左側に示す縦枠２３（縦フレーム材）は、金属製枠材２３０と、押縁１０Ｂとを備えて構成されている。
左側の金属製枠材２３０は、アルミ製の押出し形材によって形成されており、屋外片部２３１（見付け片部）と、見込み片部２３２と、押縁係合部２３３と、アングル係合部２３４と、枠取付片部２３５とを有して構成されている。
屋外片部２３１は、縦枠２３の見付け方向において見込み片部２３２から内側（パネル３側）に延出して形成されており、パネル３と対向して配置されている。屋外片部２３１の先端には気密材２９が装着されている。
見込み片部２３２は、パネル３の左側縁に対して隙間を隔てて配置されている。なお、前述した屋外片部２３１および見込み片部２３２によって断面Ｌ字状部が形成されている。
押縁係合部２３３は、パネル３よりも屋内側に位置する見込み片部２３２の部分に形成されている。押縁係合部２３３は、図４に示すように、縦枠２３の見付け方向において見込み片部２３２から内側に延出し、先端が折曲されて互いに接近した一対の係合片２３７，２３８によって構成されている。
【００２４】
アングル係合部２３４は、見込み片部２３２の屋内端部に形成されており、押縁係合部２３３よりも屋内側に位置している。アングル係合部２３４は、前述した係合片２３７，２３８のうちの屋内側に位置する係合片２３８と、見込み片部２３２の屋内端から下方に延出し、先端が屋外側に折曲された係合片２３９（図４参照）とによって構成されている。
見込み片部２３２、係合片２３８，２３９によって形成された溝部に樹脂製アングル２６が嵌合されることによって、アングル係合部２３４に樹脂製アングル２６が係合されている。樹脂製アングル２６は、ビス２７によって建物の躯体側に取り付けられている。
枠取付片部２３５は、見込み片部２３２から横方向左側に延出して形成されており、ビス２７によって建物の躯体に取り付けられる。
【００２５】
押縁１０Ｂは、図４に示すように、金属製押縁体１１と、樹脂製押縁体１２とを備えて構成されている。金属製押縁体１１は、アルミ製の押出し形材によって形成されており、加熱発泡材４を保持する保持片部１１１と、押縁係合部２３３に係合する被係合部１１２とを有して構成されている。
【００２６】
保持片部１１１は、押縁１０Ｂの見付け方向に延びて形成されている。保持片部１１１の屋外面には、係合溝１１３が保持片部１１１の長手方向（上下方向）の全長にわたって形成されている。
係合溝１１３は、押縁１０Ｂの見付け方向における保持片部１１１の両端側に互いに向かい合って形成された断面コ字状部と保持片部１１１の屋内面とによって形成されている。この係合溝１１３には、加熱発泡材４が係合している。また、保持片部１１１の屋内面には、樹脂製押縁体１２と係合する断面Ｌ字状の係合片１１４が形成されている。
このように構成された保持片部１１１は、被係合部１１２が押縁係合部２３３に係合した状態では、縦枠２３の見込み方向において屋外片部２３１と間隔を隔てて向かい合って位置している。また、保持片部１１１の見付け方向内側部分は、被係合部１１２が押縁係合部２３３に係合した状態では、押縁１０Ｂの見込み方向において内ガラス３３の屋内面に離間した状態で向かい合って位置している。
【００２７】
被係合部１１２は、被係合片１１５，１１６によって構成されている。被係合片１１５は、左側の縦枠２３の見込み片部２３２側に位置する保持片部１１１の端部から当該見込み片部２３２に向かって延出し、その先端に爪部を有して構成されている。被係合片１１６は、保持片部１１１の屋内面から屋内側に延出しているとともに、左側の縦枠２３の見込み片部２３２側に折曲され、その先端に爪部を有して構成されている。
このように構成された被係合部１１２は、被係合片１１５の爪部が係合片２３７に係合されるとともに、被係合片１１６の爪部が係合片２３８に係合されることによって押縁係合部２３３に係合されている。
【００２８】
樹脂製押縁体１２は、塩化ビニル樹脂（ＰＶＣ）などの樹脂製材料によって形成されており、本体部１２１と、当接部１２２とを有して構成されている。
本体部１２１は、その屋外側に突出した被係合片１２３を有している。被係合片１２３は、保持片部１１１の係合片１１４に係合されているとともに、被係合片１１６に当接しており、これにより、本体部１２１は、金属製押縁体１１に取り付けられている。
当接部１２２は、押縁１０Ｂの見付け方向における本体部１２１の内側部分から屋外側に延出して形成されている。当接部１２２の屋外端部は、内ガラス３３の屋内面に当接した気密部１２４として構成されている。気密部１２４は、保持片部１１１よりも屋外側に位置しており、当該保持片部１１１の先端に係合している。
このように構成された樹脂製押縁体１２は、金属製押縁体１１の屋外側露出部分を覆って設けられており、当接部１２２で内ガラス３３の屋内面を支えている。
【００２９】
図３の右側に示す縦枠２３（縦フレーム材）は、金属製枠材２３０と、押縁１０Ｃとを備えて構成されている。押縁１０Ｃは、右側の金属製枠材２３０に沿って上下方向に延びて取り付けられている。右側の金属製枠材２３０、押縁１０Ｃは、前述した左側の縦枠２３の金属製枠材２３０、押縁１０Ｂと同様に構成されているので、図に同符号を適宜付して、これらの詳細な説明を省略する。
【００３０】
加熱発泡材４は、シート状に形成されており、前述した押縁１０（１０Ａ，１０Ｂ，１０Ｃ）に設けられている。加熱発泡材４は、各金属製押縁体１１の保持片部１１１の全長にわたって配置されている。見付け方向における加熱発泡材４の両側縁は、係合溝１１３を形成する保持片部１１１の断面コ字状部に係合されている。加熱発泡材４は、図示しないが、係合溝１１３の小口からスライド挿入した後、加熱発泡材４の長手方向における両端をかしめて固定されている。また、必要に応じ、保持片部１１１の屋外面に対する加熱発泡材の屋内面に接着剤などによって貼りつけてあってもよい。
このように各金属製押縁体１１に設けられた加熱発泡材４は、屋外側に向かって、つまりフレーム２の見込み方向に膨張可能な向きに配置されている。各加熱発泡材４はパネル３の周縁部と向かい合う位置に配置されている。
【００３１】
前述した上枠２１、下枠２２および左右の縦枠２３によって枠組みして構成されたフレーム２に対して、パネル３を嵌め込む施工手順は次の通りである。先ず、パネル３の下部を下枠２２の屋外片部２２１と屋内片部２２３との間に差し込んだ後に、パネル３を上枠２１および左右の縦枠２３に沿って配置し、次に、内ガラス３３の屋内面と下枠２２に装着された樹脂製アングル２５との間に気密材２５Ａを挿入し、各押縁１０の被係合部１１２を各押縁係合部２１３，２３３に係合する。このようにして、パネル３の見込み方向の移動が規制され、フレーム２に嵌め込まれる。
網入り外ガラス３１の屋外面は、上枠２１、下枠２２および左右の縦枠２３の気密材２９に接触している。このため、網入り外ガラス３１の屋外面は、気密材２９が装着された各屋外片部２１１，２２１，２３１によって支えられる。また、内ガラス３３の屋内面の下部は、下枠２２に装着された樹脂製アングル２５の気密材２５Ａに接触し、支えられる。そして、内ガラス３３の屋内面の上部、左部、右部は、押縁１０Ａ，１０Ｂ，１０Ｃによってそれぞれ押さえられる。
【００３２】
［本実施形態の作用］
以下、本実施形態に係る固定窓１の火災時における作用について説明する。
屋外側で火災が発生した場合、固定窓１は、その屋外側から加熱される。上枠２１、左右の縦枠２３が加熱されると、これらに取り付けられた押縁１０Ａ，１０Ｂ，１０Ｃも温度上昇し、各樹脂製押縁体１２が変形しやすい状態となる。
【００３３】
図４に示す左側の押縁１０Ｂがさらに温度上昇し、加熱発泡材４が膨張温度に達して発泡した場合、保持片部１１１の屋外面から屋外側に向かって膨張する。このように膨張する加熱発泡材４は、図５に示すように、保持片部１１１と内ガラス３３の屋内面との隙間を塞ぐとともに、屋外片部２３１に当接し、パネル３の左側縁と屋外片部２３１、見込み片部２３２および金属製押縁体１１との隙間を塞ぐ。また、前述した押縁１０Ｂの温度上昇によって、樹脂製押縁体１２が軟化した場合、被係合片１２３が軟化して係合片１１４との係合が外れるとともに、気密部１２４が軟化して保持片部１１１の先端との係合が外れることで、樹脂製押縁体１２は、金属製押縁体１１から脱落する。
【００３４】
なお、上枠２１に取り付けられた押縁１０Ａ、右側の縦枠２３に取り付けられた押縁１０Ｃも、前述した押縁１０Ｂと同様に作用するので、これらの作用の説明を省略する。
また、下枠２２は、アルミ製の屋外片部２２１および屋内片部２２３間にパネル３の下部が配置されているので、パネル３の下部を屋外片部２２１や屋内片部２２３が溶融するまで長時間保持しつづけられる。
【００３５】
［本実施形態の効果］
（１）押縁１０を金属製押縁体１１と樹脂製押縁体１２とを備えて構成したため、火災時等に樹脂製押縁体１２が軟化して脱落しても、金属製押縁体１１は残存し、この金属製押縁体１１に設けられた加熱発泡材４の固定窓１からの脱落を防止できる。
各金属製押縁体１１に加熱発泡材４が設けられるため、各加熱発泡材４が火災時等に加熱されて発泡し、金属製押縁体１１から屋外片部２１１，２３１側に向かって膨張することで、上枠２１、縦枠２３とパネル３との隙間を確実に塞ぐことができる。ここで、各金属製押縁体１１は、金属製枠材２１０，２３０に沿って取り付けられるため、押縁１０Ａ，１０Ｂ，１０Ｃ側に外部（屋内側空間）に通じる貫通孔が形成されることがなく、この貫通孔を通じて煙や炎がもれ出ることがない。このため、加熱発泡材４の膨張によって上枠２１、縦枠２３とパネル３との隙間から煙や炎がもれ出ることを防止できる。
さらに、押縁１０は、金属製押縁体１１の露出部分を覆う樹脂製押縁体１２を備えているため、固定窓１の断熱性を向上できる。
なお、下枠２２においては、屋外片部２２１に設けられた加熱発泡材５が火災時等に発泡して膨張することで、屋外片部２２１と屋内片部２２３との間を塞ぐことができ、下枠２２とパネル３との隙間から煙や炎がもれ出ることを防止できる。
（２）屋外片部２１１，２３１はパネル３に対して屋外側に位置し、かつ押縁１０Ａ，１０Ｂ，１０Ｃはパネル３に対して屋内側に位置するため、各金属製押縁体１１に設けられた加熱発泡材４は、火災時に発泡して屋外側に膨張し、アルミ製の屋外片部２１１，２３１に当接する。この当接により、上枠２１、縦枠２３とパネル３との隙間を確実に塞ぐことができ、この隙間から煙や炎がもれ出ることを防止できる。
また、押縁１０が金属製押縁体１１の屋内側露出部分を覆う樹脂製押縁体１２を備えているので、屋内側での結露を抑制できる。
（３）押縁１０Ａの金属製押縁体１１が上枠２１の金属製枠材２１０に沿って設けられ、押縁１０Ｂ，１０Ｃの金属製押縁体１１が左右の縦枠２３の金属製枠材２３０に沿ってそれぞれ設けられているので、例えば、火災時等に各樹脂製押縁体１２が加熱されて軟化し、脱落しても、各金属製押縁体１１が上枠２１、左右の縦枠２３に係合した状態のまま残存して内ガラス３３の屋内面を支え、パネル３のフレーム２からの脱落を防ぐことができ、耐火時間を延ばすことができる。
（４）例えば、既存の一般仕様の固定窓の加熱発泡材が設けられていない押縁に代えて、前述した加熱発泡材４付きの押縁１０を取り付けることで、一般仕様から防火仕様の固定窓１に簡単に構成変更できる。また、上枠２１、左右の縦枠２３の金属製枠材２１０，２３０は、一般仕様の上枠、縦枠と兼用することが可能となるため、上枠２１、左右の縦枠２３の生産効率を向上でき、固定窓１のコストダウンを図れる。
さらに、樹脂製押縁体１２は、夏季や冬季における気温差における熱伸縮に対して、線膨張係数が樹脂よりも小さい金属製押縁体１１に樹脂製押縁体１２が設けられているので、応力緩和による樹脂製押縁体１２の変形を抑制できる。
また、火災時等に樹脂製押縁体１２が金属製押縁体１１から脱落してしまっても、金属製押縁体１１によってパネル３を支えることができるため、押縁１０とは別にパネル３を支えるための金具部品を設ける必要がなく、固定窓１のコストダウンを図れる。
（５）加熱発泡材４を金属製押縁体１１の係合溝１１３に係合することで、例えば、加熱発泡材４を金属製押縁体１１に係合させずに単に貼り付ける場合と比べ、加熱発泡材４の金属製押縁体１１に対する位置決めを簡単に行うことができる。
（６）金属製押縁体１１や樹脂製押縁体１２に対して気密材（図示省略）を別途設けることなく、当接部１２２をパネル３の屋内面に当接させることでシール性を確保できるとともに、当該パネル３の屋内面を押さえることができ、部品点数を減らして固定窓１のコストダウンを図れる。
また、火災時等によって屋外よりも屋内が高温にある場合には、樹脂製押縁体１２が加熱されて軟化し、変形した際に、パネル３を支えていた当接部１２２を樹脂製押縁体１２とともに金属製押縁体１１から脱落させることができる。この時、断熱性能のある樹脂製押縁体１２の脱落によって金属製押縁体１１への熱伝達を抑制されることがないため、金属製押縁体１１が効率よく加熱され、金属製押縁体１１の熱を加熱発泡材４に効率よく伝達でき、金属製押縁体１１に係合されている加熱発泡材４の発泡を促進できる。
（７）火災時等に加熱発泡材４が発泡した場合、内ガラス３３の屋内面と向かい合って配置された加熱発泡材４の一部である見付け方向内側部分は、その設置位置から内ガラス３３の屋内面に向かって膨張するので、パネル３と金属製押縁体１１との間を確実に塞ぐことができる。
（８）例えば、フレーム２にパネル３を嵌め込む際に、アルミ製の下枠２２の屋外片部２２１と屋内片部２２３との間にパネル３の下部を配置することで、パネル３の下部の見込み方向の移動を規制でき、押縁１０Ａ，１０Ｂ，１０Ｃを金属製枠材２１０，２３０にそれぞれ取り付けてパネル３の屋内面を押さえる作業を簡単に行うことができる。
また、金属製枠材２１０，２３０に取り付けられる押縁１０Ａ，１０Ｂ，１０Ｃは共通化できるため、この共通化による固定窓１のコストダウンを図れる。
【００３６】
［変形例］
なお、本発明は以上の実施形態で説明した構成のものに限定されず、本発明の目的を達成できる範囲での変形例は、本発明に含まれる。
例えば、前記実施形態では、金属製押縁体１１に係合溝１１３が設けられているが、これに限定されず、係合溝１１３が設けられていなくてもよい。この場合、加熱発泡材４は、金属製押縁体１１の屋外面に貼りつけられる。
【００３７】
前記実施形態では、当接部１２２は、本体部１２１と一体に形成された気密部１２４が内ガラス３３の屋内面に直接に接触してパネル３を押さえる構成とされているが、これに限定されず、例えば、当接部１２２の屋外側先端に装着された別体の気密材（図示せず）を内ガラス３３の屋内面に接触させてパネル３を押さえる構成とされていてもよい。
【００３８】
前記実施形態では、加熱発泡材４の見付け方向内側部分（一部）は、内ガラス３３の屋内面と向かい合って配置されているが、火災時等に加熱発泡材４が発泡した際、向かい合うパネル３と当接すればよく、これに限定されることはない。
【００３９】
前記実施形態では、建具として固定窓１を説明したが、これに限定されず、例えば、上げ下げ窓、引き違い窓などによって建具を構成してもよい。この場合、各フレーム材は上框、下框、左右の縦框などの框材として構成される。
【符号の説明】
【００４０】
１…固定窓、２…フレーム、３…パネル、４，５…加熱発泡材、１０，１０Ａ，１０Ｂ，１０Ｃ…押縁、１１…金属製押縁体、１２…樹脂製押縁体、２１…上枠、２２…下枠、２３…縦枠、２４，２５，２６…樹脂製アングル、２５Ａ…気密材、２７…ビス、２８…セッティングブロック、２９…気密材、３１…網入り外ガラス、３２…スペーサ、３３…内ガラス、１１１…保持片部、１１３…係合溝、１１４，２１７，２１８，２１９，２３７，２３８，２３９…係合片、１１２…被係合部、１１５，１１６，１２３…被係合片、１２１…本体部、１２２…当接部、１２４…気密部、２１０，２３０…金属製枠材、２１１，２２１，２３１…屋外片部（見付け片部）、２１２，２２２，２３２…見込み片部、２１３，２３３…押縁係合部、２１４，２２５，２３４…アングル係合部、２１５，２２６…枠取付部、２２３，２２４…屋内片部、２３５…枠取付片部。
【図１】
0006357060.tif 000002
【図２】
0006357060.tif 000003
【図３】
0006357060.tif 000004
【図４】
0006357060.tif 000005
【図５】
0006357060.tif 000006